(57)【要約】【課題】  ユーザの利便性を考慮した医療情報提供システムを提供する。【解決手段】補強情報の目次画面２４（３０，３４）情報に、目次項目表示情報として、診療ガイドライン項目表示２１情報と共通したものを含ませると共に、該各目次項目表示２１情報に、ユーザ通信端末３による選択を条件として、該各目次項目表示２１情報に関連する補強情報を管理装置１に要求する要求情報を設定して、診療ガイドライン情報に関連のある補強情報を入手するに際して、診療ガイドライン項目２１表示と共通した目次項目表示を利用し、診療ガイドライン情報に関連する補強情報の入手を容易にする。【選択図】        図９
2005190055.tif 000002
【特許請求の範囲】
【請求項１】
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの要求を条件として、診療ガイドライン情報の目次画面情報、該診療ガイドライン情報を補強する補強情報の目次画面情報を配信するように設定され、
前記診療ガイドライン情報の目次画面情報に、目次項目表示情報として、少なくとも診断、治療を上位階層項目表示としつつ階層的に展開する診療ガイドライン項目表示情報が含まれると共に、該各診療ガイドライン項目表示情報に、前記ユーザ通信端末による選択を通じて該各診療ガイドライン項目表示情報に応じた診療ガイドライン情報を前記管理装置に配信要求できる配信要求情報が設定され、
前記補強情報の目次画面情報に、目次項目表示情報として、前記診療ガイドライン項目表示情報と共通したものが含まれると共に、該各目次項目表示情報に、前記ユーザ通信端末による選択を通じて該各目次項目表示情報に関連する補強情報を前記管理装置に配信要求できる配信要求情報が設定されている、
ことを特徴とする医療情報提供システム。
【請求項２】
請求項１において、
前記管理装置が、診療ガイドライン情報提供モード表示情報と、補強情報提供モード表示情報とを該ユーザ通信端末に配信するように設定され、
前記診療ガイドライン情報提供モード表示情報に、診療ガイドライン情報提供モードに移行することを前記ユーザ通信端末による選択を通じて該管理装置に要求できる要求情報が設定され、
前記補強情報提供モード表示情報に、補強情報提供モードに移行することを該ユーザ通信端末による選択を通じて該管理装置に要求できる要求情報が設定され、
しかも、前記診療ガイドライン情報提供モード表示情報及び前記補強情報提供モード表示情報は、前記診療ガイドライン情報提供モード、前記補強情報提供モードのうちの一方のモードから他方のモードへ移行させるべく他方のモード表示が前記ユーザ通信端末を通じて選択されたときに、前記管理装置に、該他方のモードの下で、前記一方のモードにおいて表示されていた項目と共通する項目についての情報の配信を要求するように設定されている、
ことを特徴とする医療情報提供システム。
【請求項３】
請求項２において、
前記一方のモードが前記診療ガイドライン情報提供モードとされ、
前記他方のモードが前記補強情報提供モードとされている、
ことを特徴とする医療情報提供システム。
【請求項４】
請求項１〜３のいずれかにおいて、
前記補強情報として、関連文献情報、トピックス情報、クリニカルクエスチョン情報を含む、
ことを特徴とする医療情報提供システム。
【請求項５】
請求項１において、
前記補強情報の目次画面情報にクリニカルクエスチョン情報の目次画面情報が含まれ、
前記クリニカルクエスチョン情報の目次画面情報には、該目次画面情報における各目次項目表示情報において、関連するクリニカルクエスチョン情報の一覧を前記ユーザ通信端末による選択を条件として前記管理装置に要求できる配信要求情報が設定され、
前記ユーザ通信端末による要求に基づいて該ユーザ通信端末に前記クリニカルクエスチョン情報の一覧がクリニカルクエスチョン一覧表示として表示されるとき、該クリニカルクエスチョン一覧表示における各クリニカルクエスチョン表示に、該各クリニカルクエスチョン表示に関連する診療ガイドライン情報、関連文献情報及びトピックス情報がそれぞれどれだけ存在するかを示す分類表示画面情報を前記ユーザ通信端末による選択を通じて前記管理装置に配信要求できる配信要求情報が設定され、
前記ユーザ通信端末による要求に基づいて該ユーザ端末に分類表示画面が表示されるとき、該分類表示画面に、診療ガイドライン情報、関連文献情報、トピックス情報の各配信要求表示がそれぞれ含まれ、
前記各配信要求表示に、該各配信要求表示に対応する具体的内容を前記ユーザ通信端末による選択を条件として前記管理装置に配信要求できる配信要求情報がそれぞれ設定されている、
ことを特徴とする医療情報提供システム。
【請求項６】
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信するように設定され、
前記検索結果画面情報には、前記診療ガイドライン情報に関する内容を前記ユーザ通信端末による選択を条件として前記管理装置に配信要求できる診療ガイドライン情報配信要求情報と、前記関連文献情報に関する内容を前記ユーザ通信端末による選択を条件として前記管理装置に配信要求できる関連文献情報配信要求情報と、前記トピックス情報に関する内容を前記ユーザ通信端末による選択を条件として前記管理装置に配信要求できるトピックス情報配信要求情報と、前記クリニカルクエスチョン情報に関する内容を前記ユーザ通信端末による選択を条件として前記管理装置に配信要求できるクリニカルクエスチョン情報配信要求情報と、が組み込まれている、
ことを特徴とする医療情報提供システム。
【請求項７】
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの最初のアクセスに対して、医療従事者向け表示情報と、一般国民向け表示情報とを含むトップ画面情報を配信するように設定され、
前記医療従事者向け表示情報に、前記ユーザ通信端末による要求を条件として医療従事者に適した情報を前記管理装置に配信要求できる配信要求情報が設定され、
前記一般国民向け表示情報に、前記ユーザ通信端末による要求を条件として一般国民に適した情報を前記管理装置に配信要求できる配信要求情報が設定されている、
ことを特徴とする医療情報提供システム。
【請求項８】
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの要求を条件として、診療ガイドライン情報の目次画面情報、該診療ガイドライン情報を補強する補強情報の目次画面情報を配信するように設定され、
前記診療ガイドライン情報の目次画面情報に、目次項目表示情報として、少なくとも診療、治療を上位階層項目表示としつつ階層的に展開する診療ガイドライン項目表示情報が含まれると共に、該各診療ガイドライン項目表示情報に、該各診療ガイドライン項目表示情報に応じた診療ガイドライン情報を前記ユーザ通信端末による選択を条件として配信することとされる配信要求情報が設定され、
前記補強情報の目次画面情報に、目次項目表示情報として、前記診療ガイドライン項目表示情報と共通したものが含まれると共に、該各目次項目表示情報に、該各目次項目表示情報に関連する補強情報を前記ユーザ通信端末による選択を条件として配信することとされる配信要求情報が設定されている、
ことを特徴とする医療情報提供システム用管理装置。
【請求項９】
請求項８において、
診療ガイドライン情報提供モードに移行させることを前記ユーザ通信端末による選択を通じて要求できる診療ガイドライン情報提供モード表示情報と、補強情報提供モードに移行させることを該ユーザ通信端末による選択を通じて要求できる補強情報提供モード表示情報とを該ユーザ通信端末に配信するように設定され、
しかも、前記診療ガイドライン情報提供モード又は前記補強情報提供モードのうちの一方のモードから他方のモードへ移行させるべく他方のモード表示が前記ユーザ通信端末を通じて選択されたとき、該他方のモードの下で、前記一方のモードにおいて表示されていた項目と共通する項目についての情報を配信するように設定されている、
ことを特徴とする医療情報提供システム用管理装置。
【請求項１０】
請求項９において、
前記一方のモードが前記診療ガイドライン情報提供モードとされ、
前記他方のモードが前記補強情報提供モードとされている、
ことを特徴とする医療情報提供システム用管理装置。
【請求項１１】
請求項８〜１０のいずれかにおいて、
前記補強情報として、関連文献情報、トピックス情報、クリニカルクエスチョン情報を含む、
ことを特徴とする医療情報提供システム用管理装置。
【請求項１２】
請求項８において、
前記補強情報の目次画面情報にクリニカルクエスチョン情報の目次画面情報が含まれ、
前記クリニカルクエスチョン情報の目次画面情報に、該目次画面情報における各目次項目表示情報において、関連するクリニカルクエスチョン情報の一覧を前記ユーザ通信端末による選択を条件として該ユーザ通信端末に配信することとされる配信要求情報が設定され、
前記ユーザ通信端末に前記クリニカルクエスチョン情報の一覧がクリニカルクエスチョン一覧表示として表示されているときにおいて、該クリニカルクエスチョン一覧表示における各クリニカルクエスチョン表示が該ユーザ通信端末により選択されることを条件として、該各クリニカルクエスチョン表示に関連する診療ガイドライン情報、関連文献情報及びトピックス情報がそれぞれどれだけ存在するかを示す分類表示画面情報を該ユーザ通信端末に配信するように設定され、
前記分類表示画面情報には、診療ガイドライン情報、関連文献情報、トピックス情報の各配信要求表示情報がそれぞれ含まれ、
前記各配信要求表示情報に、前記ユーザ通信端末による選択を条件として該各要求表示情報に対応する具体的内容を配信することとされる配信要求情報がそれぞれ設定されている、
ことを特徴とする医療情報提供システム用管理装置。
【請求項１３】
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信するように設定され、
前記検索結果画面情報には、前記診療ガイドライン情報に関する内容を前記ユーザ通信端末による選択を条件として該ユーザ通信端末に配信することとされる診療ガイドライン配信要求情報と、前記関連文献情報に関する内容を前記ユーザ通信端末による選択を条件として該ユーザ通信端末に配信することとされる関連文献情報配信要求情報と、前記トピックス情報に関する内容を前記ユーザ通信端末による選択を条件として該ユーザ通信端末に配信することとされるトピックス情報配信要求情報と、前記クリニカルクエスチョン情報に関する内容を前記ユーザ通信端末による選択を条件として該ユーザ通信端末に配信することとされるクリニカルクエスチョン情報配信要求情報と、が組み込まれている、
ことを特徴とする医療情報提供システム用管理装置。
【請求項１４】
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの最初のアクセスに対して、医療従事者向け表示情報と、一般国民向け表示情報とを含むトップ画面情報を配信するように設定され、
前記医療従事者向け表示情報に、前記ユーザ通信端末による要求を通じて医療従事者に適した情報が配信されることとされる配信要求情報が設定され、
前記一般国民向け表示情報に、前記ユーザ通信端末による要求を通じて一般国民に適した情報が配信されることとされる配信要求情報が設定されている、
ことを特徴とする医療情報提供システム用管理装置。
【請求項１５】
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの要求を条件として、診療ガイドライン情報の目次画面情報、該診療ガイドライン情報を補強する補強情報の目次画面情報を配信する機能、
前記診療ガイドライン情報の目次画面情報に、目次項目表示情報として、少なくとも診療、治療を上位階層項目表示としつつ階層的に展開する診療ガイドライン項目表示情報を含ませると共に、該各診療ガイドライン項目表示情報に、該各診療ガイドライン項目情報に応じた診療ガイドライン情報を前記ユーザ通信端末による選択を条件として配信することとされる配信要求情報を設定する機能、
前記補強情報の目次画面情報に、目次項目表示情報として、前記診療ガイドライン項目表示情報と共通したものを含ませると共に、該各目次項目表示情報に、該各目次項目表示情報に関連する補強情報を前記ユーザ通信端末による選択を条件として配信することとされる配信要求情報を設定する機能、
を実現させるための医療情報提供システム用管理装置のプログラム。
【請求項１６】
請求項１５において、
診療ガイドライン情報提供モードに移行させることを前記ユーザ通信端末による選択を条件として要求できる診療ガイドライン情報提供モード表示情報と、補強情報提供モードに移行させることを該ユーザ通信端末による選択を条件として要求できる補強情報提供モード表示情報とを該ユーザ通信端末に配信する機能、
前記診療ガイドライン情報提供モード又は前記補強情報提供モードのうちの一方のモードから他方のモードへ移行させるべく他方のモード表示が前記ユーザ通信端末を通じて選択されたとき、該他方のモードの下で、前記一方のモードにおいて表示されていた項目と共通する項目についての情報を配信する機能、
を実現させるための医療情報提供システム用管理装置のプログラム。
【請求項１７】
請求項１６において、
前記一方のモードが前記診療ガイドライン情報提供モードとされ、
前記他方のモードが前記補強情報提供モードとされている、
ことを特徴とする医療情報提供システム用管理装置のプログラム。
【請求項１８】
請求項１５〜１７のいずれかにおいて、
前記補強情報として、関連文献情報、トピックス情報、クリニカルクエスチョン情報を含む、
ことを特徴とする医療情報提供システム用管理装置のプログラム。
【請求項１９】
請求項１５において、
前記補強情報の目次画面情報として、クリニカルクエスチョン情報の目次画面情報を配信する機能、
前記クリニカルクエスチョン情報の目次画面情報に、該目次画面情報における各目次項目表示情報において、関連するクリニカルクエスチョン情報の一覧を前記ユーザ通信端末による選択を条件として該ユーザ通信端末に配信することとされる配信要求情報を設定する機能、
前記ユーザ通信端末に前記クリニカルクエスチョン情報の一覧がクリニカルクエスチョン一覧表示として表示されているときにおいて、該クリニカルクエスチョン一覧表示における各クリニカルクエスチョン表示が該ユーザ通信端末により選択されることを条件として、該各クリニカルクエスチョン表示に関連する診療ガイドライン情報、関連文献情報及びトピックス情報がそれぞれどれだけ存在するかを示す分類表示画面情報を該ユーザ通信端末に配信する機能、
前記分類表示画面情報に、診療ガイドライン情報、関連文献情報、トピックス情報の各配信要求表示情報をそれぞれ含める機能、
前記各配信要求表示情報に、前記ユーザ通信端末による選択を条件として該各配信要求表示情報に対応する具体的内容を該ユーザ通信端末に配信することとされる配信要求情報をそれぞれ設定する機能、
を実現させるための医療情報提供システム用管理装置のプログラム。
【請求項２０】
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信する機能、
前記検索結果画面情報に、前記診療ガイドラインに関する内容を前記ユーザ通信端末による選択を通じて配信要求できる診療ガイドライン配信要求情報と、前記関連文献情報に関する内容を前記ユーザ通信端末による選択を通じて配信要求できる関連文献情報配信要求情報と、前記トピックス情報に関する内容を前記ユーザ通信端末による選択を通じて配信要求できるトピックス情報配信要求情報と、前記クリニカルクエスチョン情報に関する内容を前記ユーザ通信端末による選択を通じて配信要求できるクリニカルクエスチョン情報配信要求情報と、を組み込む機能、
を実現させるための医療情報提供システム用管理装置のプログラム。
【請求項２１】
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの最初のアクセスに対して、医療従事者向け表示情報と、一般国民向け表示情報とを含むトップ画面情報を配信する機能、
前記医療従事者向け表示情報に、前記ユーザ通信端末による要求を通じて医療従事者に適した情報が配信されることとされる配信要求情報を設定する機能、
前記一般国民向け表示情報に、前記ユーザ通信端末による要求を通じて一般国民に適した情報が配信されることとされる配信要求情報を設定する機能、
を実現させるための医療情報提供システム用管理装置のプログラム。
【発明の詳細な説明】
【技術分野】
【０００１】
本発明は、医療情報提供システム、医療情報提供システム用管理装置及び医療情報提供システム用管理装置のプログラムに関する。
【背景技術】
【０００２】
近時、情報の電子化及びネットワーク化の進展に伴い、特許文献１に示すように、ユーザ通信端末と、各種医療情報をデータベースとして蓄える管理装置（サーバ装置）とが通信ネットワークを介して接続され、ユーザ通信端末からの要求を条件として、管理装置が、該ユーザ通信端末からの要求に応じた医療情報を該ユーザ通信端末に配信することが行われている。これにより、目的とする医療情報を迅速に入手することができることになる。
【０００３】
このような医療情報の配信は、例えば非特許文献１、非特許文献２に示すように、診療ガイドライン（疾患に対する診断、治療等に関する指針であって、疾患に対する適切な判断を支援することを目的としたもの）に関しても行われおり、これにより、医療従事者が日常診療を行う上での意思決定を支援することができることになる。
【０００４】
【特許文献１】特開２００２−３１８８２０号公報
【非特許文献１】坂井  文彦  外１１名、「頭痛治療ガイドライン」［online］、日本神経学会、［平成１５年１１月１７日検索］、インターネット＜ＵＲＬ：http://www.neurology-jp.org/guideline/headache/index.html＞
【非特許文献２】谷川  久一  外６名、「慢性肝炎診療のためのガイドライン」［online］、日本肝臓学会、［平成１５年１１月１８日検索］、インターネット＜ＵＲＬ：http://www.jsh.or.jp/guide/guide.html＞
【発明の開示】
【発明が解決しようとする課題】
【０００５】
しかし、Ｗｅｂサーバ上で公開される診療ガイドラインは、前記非特許文献１，２に示すように、一般に、特定医療分野毎に特定の学会等がそれぞれ作成機関となって作成する傾向にあり、その各情報の表示の仕方は、まちまちで、ユーザの利便性まで考慮されたものとはなっていない。
【０００６】
本発明は以上のような事情に鑑みてなされたもので、その第１の技術的課題は、ユーザの利便性を考慮した医療情報提供システムを提供することにある。
第２の技術的課題は、上記医療情報提供システムにおいて用いられる医療情報提供システム用管理装置を提供することにある。
第３の技術的課題は、上記医療情報提供システムにおいて用いられる医療情報提供システム用管理装置のプログラムを提供することにある。
【課題を解決するための手段】
【０００７】
上記第１の技術的課題を達成するために本発明（請求項１に係る発明）にあっては、
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの要求を条件として、診療ガイドライン情報の目次画面情報、該診療ガイドライン情報を補強する補強情報の目次画面情報を配信するように設定され、
前記診療ガイドライン情報の目次画面情報に、目次項目表示情報として、少なくとも診断、治療を上位階層項目表示としつつ階層的に展開する診療ガイドライン項目表示情報が含まれると共に、該各診療ガイドライン項目表示情報に、前記ユーザ通信端末による選択を通じて該各診療ガイドライン項目表示情報に応じた診療ガイドライン情報を前記管理装置に配信要求できる配信要求情報が設定され、
前記補強情報の目次画面情報に、目次項目表示情報として、前記診療ガイドライン項目表示情報と共通したものが含まれると共に、該各目次項目表示情報に、前記ユーザ通信端末による選択を通じて該各目次項目表示情報に関連する補強情報を前記管理装置に配信要求できる配信要求情報が設定されている構成としてある。この請求項１に係る発明の好ましい態様としては、請求項２〜５の記載の通りとなる。
【０００８】
上記第１の技術的課題を達成するために本発明（請求項６に係る発明）にあっては、
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信するように設定され、
前記検索結果画面情報には、前記診療ガイドライン情報に関する内容を前記ユーザ通信端末による選択を条件として前記管理装置に配信要求できる診療ガイドライン情報配信要求情報と、前記関連文献情報に関する内容を前記ユーザ通信端末による選択を条件として前記管理装置に配信要求できる関連文献情報配信要求情報と、前記トピックス情報に関する内容を前記ユーザ通信端末による選択を条件として前記管理装置に配信要求できるトピックス情報配信要求情報と、前記クリニカルクエスチョン情報に関する内容を前記ユーザ通信端末による選択を条件として前記管理装置に配信要求できるクリニカルクエスチョン情報配信要求情報と、が組み込まれている構成としてある。
【０００９】
上記第１の技術的課題を達成するために本発明（請求項７に係る発明）にあっては、
ユーザ通信端末と、各種医療情報を蓄える管理装置とが通信ネットワークを介して接続され、前記ユーザ通信端末からの要求を条件として、前記管理装置が、該ユーザ通信端末からの要求に応じた医療情報を該ユーザ通信端末に配信する医療情報提供システムにおいて、
前記管理装置が、前記ユーザ通信端末からの最初のアクセスに対して、医療従事者向け表示情報と、一般国民向け表示情報とを含むトップ画面情報を配信するように設定され、
前記医療従事者向け表示情報に、前記ユーザ通信端末による要求を条件として医療従事者に適した情報を前記管理装置に配信要求できる配信要求情報が設定され、
前記一般国民向け表示情報に、前記ユーザ通信端末による要求を条件として一般国民に適した情報を前記管理装置に配信要求できる配信要求情報が設定されている構成としてある。
【００１０】
上記第２の技術的課題を達成するために本発明（請求項８に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの要求を条件として、診療ガイドライン情報の目次画面情報、該診療ガイドライン情報を補強する補強情報の目次画面情報を配信するように設定され、
前記診療ガイドライン情報の目次画面情報に、目次項目表示情報として、少なくとも診療、治療を上位階層項目表示としつつ階層的に展開する診療ガイドライン項目表示情報が含まれると共に、該各診療ガイドライン項目表示情報に、該各診療ガイドライン項目表示情報に応じた診療ガイドライン情報を前記ユーザ通信端末による選択を条件として配信することとされる配信要求情報が設定され、
前記補強情報の目次画面情報に、目次項目表示情報として、前記診療ガイドライン項目表示情報と共通したものが含まれると共に、該各目次項目表示情報に、該各目次項目表示情報に関連する補強情報を前記ユーザ通信端末による選択を条件として配信することとされる配信要求情報が設定されている構成としてある。この請求項８に係る発明の好ましい態様としては、請求項９〜１２の記載の通りとなる。
【００１１】
上記第２の技術的課題を達成するために本発明（請求項１３に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信するように設定され、
前記検索結果画面情報には、前記診療ガイドライン情報に関する内容を前記ユーザ通信端末による選択を条件として該ユーザ通信端末に配信することとされる診療ガイドライン配信要求情報と、前記関連文献情報に関する内容を前記ユーザ通信端末による選択を条件として該ユーザ通信端末に配信することとされる関連文献情報配信要求情報と、前記トピックス情報に関する内容を前記ユーザ通信端末による選択を条件として該ユーザ通信端末に配信することとされるトピックス情報配信要求情報と、前記クリニカルクエスチョン情報に関する内容を前記ユーザ通信端末による選択を条件として該ユーザ通信端末に配信することとされるクリニカルクエスチョン情報配信要求情報と、が組み込まれている構成としてある。
【００１２】
上記第２の技術的課題を達成するために本発明（請求項１４に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置において、
前記ユーザ通信端末からの最初のアクセスに対して、医療従事者向け表示情報と、一般国民向け表示情報とを含むトップ画面情報を配信するように設定され、
前記医療従事者向け表示情報に、前記ユーザ通信端末による要求を通じて医療従事者に適した情報が配信されることとされる配信要求情報が設定され、
前記一般国民向け表示情報に、前記ユーザ通信端末による要求を通じて一般国民に適した情報が配信されることとされる配信要求情報が設定されている構成としてある。
【００１３】
上記第３の技術的課題を達成するために本発明（請求項１５に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの要求を条件として、診療ガイドライン情報の目次画面情報、該診療ガイドライン情報を補強する補強情報の目次画面情報を配信する機能、
前記診療ガイドライン情報の目次画面情報に、目次項目表示情報として、少なくとも診療、治療を上位階層項目表示としつつ階層的に展開する診療ガイドライン項目表示情報を含ませると共に、該各診療ガイドライン項目表示情報に、該各診療ガイドライン項目情報に応じた診療ガイドライン情報を前記ユーザ通信端末による選択を条件として配信することとされる配信要求情報を設定する機能、
前記補強情報の目次画面情報に、目次項目表示情報として、前記診療ガイドライン項目表示情報と共通したものを含ませると共に、該各目次項目表示情報に、該各目次項目表示情報に関連する補強情報を前記ユーザ通信端末による選択を条件として配信することとされる配信要求情報を設定する機能、
を実現させるための医療情報提供システム用管理装置のプログラムとした構成としてある。この請求項１５の好ましい態様としては、請求項１６〜１９の記載の通りとなる。
【００１４】
上記第３の技術的課題を達成するために本発明（請求項２０に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの用語の入力を条件として、該用語に関連する診療ガイドライン情報、関連文献情報、トピックス情報及びクリニカルクエスチョン情報がそれぞれどれだけ存在するかを示す検索結果画面情報を該ユーザ通信端末に配信する機能、
前記検索結果画面情報に、前記診療ガイドラインに関する内容を前記ユーザ通信端末による選択を通じて配信要求できる診療ガイドライン配信要求情報と、前記関連文献情報に関する内容を前記ユーザ通信端末による選択を通じて配信要求できる関連文献情報配信要求情報と、前記トピックス情報に関する内容を前記ユーザ通信端末による選択を通じて配信要求できるトピックス情報配信要求情報と、前記クリニカルクエスチョン情報に関する内容を前記ユーザ通信端末による選択を通じて配信要求できるクリニカルクエスチョン情報配信要求情報と、を組み込む機能、
を実現させるための医療情報提供システム用管理装置のプログラムとした構成としてある。
【００１５】
上記第３の技術的課題を達成するために本発明（請求項２１に係る発明）にあっては、
ユーザ通信端末からの通信ネットワークを介した要求に基づき、該ユーザ通信端末からの要求に応じた医療情報を該ユーザ通信端末に配信する医療情報提供システム用管理装置のコンピュータに、
前記ユーザ通信端末からの最初のアクセスに対して、医療従事者向け表示情報と、一般国民向け表示情報とを含むトップ画面情報を配信する機能、
前記医療従事者向け表示情報に、前記ユーザ通信端末による要求を通じて医療従事者に適した情報が配信されることとされる配信要求情報を設定する機能、
前記一般国民向け表示情報に、前記ユーザ通信端末による要求を通じて一般国民に適した情報が配信されることとされる配信要求情報を設定する機能、
を実現させるための医療情報提供システム用管理装置のプログラムとした構成としてある。
【発明の効果】
【００１６】
請求項１に係る発明によれば、診療ガイドライン情報の目次画面情報に、目次項目表示情報として、少なくとも診断、治療を上位階層項目表示としつつ階層的に展開する診療ガイドライン項目表示情報が含まれると共に、該各診療ガイドライン項目表示情報に、ユーザ通信端末による選択を条件として、該各診療ガイドライン項目に応じた診療ガイドライン情報を管理装置に配信要求する配信要求情報が設定されていることから、階層構造に基づいて整理された診療ガイドライン情報の目次画面を利用して、ユーザは、有効性の高い診療ガイドライン情報を確実に入手できることになる。
また、管理装置が、診療ガイドライン情報を補強する補強情報の目次画面情報を配信するように設定され、その各目次項目表示情報をもってユーザが補強情報の配信を受けることができることから、補強情報をもって、診療ガイドライン情報の信頼性、妥当性等を判断できることになる。
さらに、補強情報の目次画面情報に、目次項目表示情報として、診療ガイドライン項目表示情報と共通したものが含まれると共に、該各目次項目表示情報に、ユーザ通信端末による選択を通じて該各目次項目表示情報に関連する補強情報を管理装置に配信要求できる配信要求情報が設定されていることから、診療ガイドライン情報に関連のある補強情報を入手するに際して、診療ガイドライン項目表示と共通した目次項目表示を利用できることになり、診療ガイドライン情報に関連する補強情報の入手を容易にできることになる。
その一方、診療ガイドライン情報と補強情報とに関し、ユーザ通信端末において別々に表示して、診療ガイドライン情報だけを表示することができることになり、診療ガイドライン情報の表示に際して、診療ガイドライン情報以外の内容からなる種々の内容が混在することを回避して、内容把握の容易化を図ることができることになる。
このため、請求項１に係る発明においては、上記内容から、ユーザの利便性を高めた医療情報提供システムを提供できることになる。
【００１７】
請求項２に係る発明によれば、診療ガイドライン情報提供モード、補強情報提供モードのうちの一方のモードから他方のモードへ移行させるべく他方のモード表示がユーザ通信端末を通じて選択されたときに、管理装置が、該他方のモードの下で、一方のモードにおいて表示されていた項目と共通する項目についての情報を配信することから、診療ガイドライン情報提供モードと補強情報提供モードとの間の移行において、同じ階層化の同一の目次項目同士の内容について移行できることになり、一方のモードから他方のモードの情報に移行して他方のモードの情報を入手するに際して、一方のモードにおける情報に対して関連性が深いものを即座に得ることができることになる。このため、関連性ある情報間のやり取りを容易にして、使い勝手を高めることができることになる。
【００１８】
請求項３に係る発明によれば、一方のモードが診療ガイドライン情報提供モードとされ、他方のモードが補強情報提供モードとされていることから、診療ガイドライン情報を入手後、その診療ガイドライン情報に関連の深い補強情報を簡単に入手して、その診療ガイドライン情報の信頼性、妥当性等を補強情報をもって客観的に判断（確認）できることになる。
【００１９】
請求項４に係る発明によれば、補強情報として、関連文献情報、トピックス情報、クリニカルクエスチョン情報を含むことから、これらの補強情報をもって、診療ガイドライン情報の信頼性、妥当性等を、より的確に判断できると共に、当該診療ガイドラインに関する知識を高めることができることになる。
【００２０】
請求項５に係る発明によれば、目次画面情報における目次項目表示情報から、問題点として認識しているクリニカルクエスチョン表示を見つけ、そのクリニカルクエスチョン表示から分類表示画面を通じて、診療ガイドライン、関連文献、トピックスの各情報の存在を認識し、そのうちのいずれかの情報にアクセスできることになる。このため、クリニカルクエスチョンを通じて、診療ガイドライン、関連文献、トピックスの各情報のうちの所望の情報にアクセスできることになり、医療情報へのアクセスの態様を増やして医療情報入手の自由度を高めることができることになる。しかも、問題点として認識しているクリニカルクエスチョンを通じて上記医療情報に入り込むことができるから、所望の情報へのアクセスの確実性を高めて、所望の医療情報の入手を的確に行うことができることになる。
【００２１】
請求項６に係る発明によれば、ユーザ通信端末からの用語の入力を通じて、検索結果画面の下で、その用語に関連する診療ガイドライン情報、関連文献情報、トピックス情報及びクリニカルクエスチョン情報の存在を認識し、その認識の下で、診療ガイドライン情報配信要求情報、関連文献情報配信要求情報、トピックス情報配信要求情報、クリニカルクエスチョン情報配信要求情報の選択をもって、診療ガイドライン情報、関連文献情報、トピックス情報及びクリニカルクエスチョン情報の配信を受けることができることになる。このため、医療情報へのアクセスの態様を増やして情報入手の自由度を高めることができるだけでなく、検索を通じて、診療ガイドライン情報、関連文献情報、トピックス情報及びクリニカルクエスチョン情報に的確にアクセスできることになる。
【００２２】
請求項７に係る発明によれば、ユーザ通信端末からの最初のアクセスに対して、医療従事者向け表示情報と、一般国民向け表示情報とを含むトップ画面情報を配信するように設定され、医療従事者向け表示に、ユーザ通信端末による要求を通じて医療従事者に適した情報を管理装置に配信要求できる配信要求情報が設定され、一般国民向け表示に、ユーザ通信端末による要求を通じて一般国民に適した情報を管理装置に配信要求できる配信要求情報が設定されていることから、ユーザが欲するレベルの医療情報を的確に入手できることになる。
【００２３】
請求項８に係る発明によれば、当該医療情報提供システム用管理装置を用いることにより、前記請求項１の場合と同様の作用効果を得ることができることになる。
【００２４】
請求項９に係る発明によれば、当該医療情報提供システム用管理装置を用いることにより、前記請求項２の場合と同様の作用効果を得ることができることになる。
【００２５】
請求項１０に係る発明によれば、当該医療情報提供システム用管理装置を用いることにより、前記請求項３の場合と同様の作用効果を得ることができることになる。
【００２６】
請求項１１に係る発明によれば、当該医療情報提供システム用管理装置を用いることにより、前記請求項４の場合と同様の作用効果を得ることができることになる。
【００２７】
請求項１２に係る発明によれば、当該医療情報提供システム用管理装置を用いることにより、前記請求項５の場合と同様の作用効果を得ることができることになる。
【００２８】
請求項１３に係る発明によれば、当該医療情報提供システム用管理装置を用いることにより、前記請求項６の場合と同様の作用効果を得ることができることになる。
【００２９】
請求項１４に係る発明によれば、当該医療情報提供システム用管理装置を用いることにより、前記請求項７の場合と同様の作用効果を得ることができることになる。
【００３０】
請求項１５に係る発明によれば、当該プログラムを用いることにより、前記請求項８と同様の作用効果を実現できることになる。
【００３１】
請求項１６に係る発明によれば、当該プログラムを用いることにより、前記請求項９と同様の作用効果を実現できることになる。
【００３２】
請求項１７に係る発明によれば、当該プログラムを用いることにより、前記請求項１０と同様の作用効果を実現できることになる。
【００３３】
請求項１８に係る発明によれば、当該プログラムを用いることにより、前記請求項１１と同様の作用効果を実現できることになる。
【００３４】
請求項１９に係る発明によれば、当該プログラムを用いることにより、前記請求項１２と同様の作用効果を実現できることになる。
【００３５】
請求項２０に係る発明によれば、当該プログラムを用いることにより、前記請求項１３と同様の作用効果を実現できることになる。
【００３６】
請求項２１に係る発明によれば、当該プログラムを用いることにより、前記請求項１４と同様の作用効果を実現できることになる。
【発明を実施するための最良の形態】
【００３７】
以下、本発明の実施の形態について図面を参照して詳細に説明する。
図１は、本発明に係る一実施形態としての医療情報提供システムＳの全体構成を示す図である。この医療情報提供システムＳの概要を説明すると、本システムＳにおいては、本システムＳの管理運営を行うサービス提供者の医療情報提供サービス管理装置（以下、管理装置と称す）１が、臨床専門医、一般医、国民一般等のユーザ２のユーザ通信端末（以下、ユーザ端末と称す）３に通信ネットワークとしてのインターネット（ＴＣＰ／ＩＰを用いた通信ネットワーク）４を介して接続されており、ユーザ端末３から管理装置１への要求（選択）により、管理装置１は、専門医向け（医療従事者向け）、一般医向け（医療従事者向け）、一般国民向け用の各医療情報を配信することになっている。
【００３８】
このうち、専門医向け情報の配信に関しては、疾患別に、診療のガイドラインを示すガイドライン情報（診療ガイドライン情報）、ガイドライン情報に関連する関連文献情報、医療において話題となっているトピックス情報、臨床に関する質問情報であるクリニカルクエスチョン情報がユーザ端末３に配信されることになっている。そして、ガイドライン情報に関しては、目次画面に目次項目として、少なくとも診断、治療を上位階層項目としつつ階層的に展開する診療ガイドライン項目を含ませると共に、その各診療ガイドライン項目にその項目に応じたガイドライン情報を関連付けておき、その上で、ユーザ２の診療ガイドライン項目の選択を通じて管理装置１が該当ガイドライン情報を配信することになっており、関連文献情報、トピックス情報、クリニカルクエスチョン情報等の補強情報に関しては、目次画面に目次項目として、上記診療ガイドライン項目と共通する項目を含ませると共に、その各項目にその項目応じた補強情報をそれぞれ関連付けておき、その上で、ユーザ２による項目の選択を通じて管理装置１が補強情報を配信することになっている。
【００３９】
また、ガイドライン情報提供モードと補強情報提供モード（関連文献情報、トピックス情報、クリニカルクエスチョン情報の各モード）との間の移行に関しては、同じ階層下の同一の目次項目同士の内容に移行できることになっており、これにより、一方のモードから他方のモードの情報に移行して他方のモードの情報を入手するに際して、一方のモードにおける情報に対して関連性が深いものを即座に得ることができることになっている。
【００４０】
以下、具体的に説明する。前記ユーザ端末３としては、パーソナルコンピュータ、携帯電話等の画像表示可能な既知の通信機器が用いることができ、そのユーザ端末３には、インターネット４を通じてＷｅｂ（ＷＷＷ）ページ（先頭ページであるホームページを含めて以下、Ｗｅｂページと称す）を閲覧できるようにすべく、Ｗｅｂブラウザが搭載されている。
【００４１】
前記管理装置１は、多くのユーザ端末３からのアクセスに対して医療情報を提供すべく、図１に示すように、サーバ部５と、データベース部（データベースシステム）６とを備えている。サーバ部５は、本来のＷｅｂサーバとしての機能の他に、ユーザ２からの医療に関する情報要求又は検索要求を条件として、データベース部６にアクセスして所望の医療情報を引き出す機能を有している。
【００４２】
前記データベース部６は、データベース７と、データベース管理システム８とを備えている。データベース７は、本実施形態においては、リレーショナルデータベースとされ、そのデータベース７には、前記ガイドライン情報、関連文献情報、トピックス情報、クリニカルクエスチョン情報、ユーザ登録情報、一般医向け情報、一般国民向け情報等の各種の情報がリレーショナルデータとして蓄えられている。データベース管理システム８としては、リレーショナルデータベース管理システム（ＲＤＢＭＳ）が用いられており、そのデータベース管理システム８は、前記サーバ部５によって起動されることにより、データベース７を検索して所望の情報をサーバ部５に出力する機能を有している。
【００４３】
このような機能を具体的に実現する手段としては、例えば図２に示すように、ＣＧＩ（Ｃｏｍｍｏｎ  Ｇａｔｅｗａｙ  Ｉｎｔｅｒｆａｃｅ）を利用することができる。すなわち、サーバ部５は、ユーザ端末３からの要求を受けることにより、必要なＣＧＩプログラムを起動し、そのＣＧＩプログラムによりリレーショナルデータベース管理システム（ＲＤＢＭＳ）８にアクセスし、ユーザからの提供情報又は検索情報（入力情報）を基にデータベース（ＤＢ）７を検索し、その検索結果をＨＴＭＬ化してユーザ端末３に配信することができる。この他にも、管理装置１は、ユーザ端末３との間の通信に関しては、既存のＷｅｂ技術、負荷軽減技術等を適宜、利用することができる。
【００４４】
また、前記インターネット４には、図１に示すように、サービス提供者のコンテンツ変更用端末９が接続されている。このコンテンツ変更用端末９は、管理装置１におけるデータベース部６にアクセスして、医療情報に関し、更新、変更、削除、追加等を行うできることになっている。
【００４５】
本システムＳについて、前記管理装置１を中心として、ユーザ端末３との通信関係を考慮しつつ、より具体的に説明する。
【００４６】
（１）管理装置１へのアクセス
管理装置１は、医療情報として、専門医向けサービス、一般医向けサービス、一般国民向けサービスを提供することになっている。この各サービスは、医療従事者に限らず誰しもがアクセスすることにより受けることができることになっているが、専門医向けサービスに関しては、予めユーザ登録を行ってログインＩＤ、パスワードを取得しておく必要があり、そのユーザ登録のためには、利用規約の同意、一定の個人情報の登録が必要になる。
【００４７】
具体的には、ユーザ２が管理装置１にアクセスすると、管理装置１は、図３に示すようなＩＤパスワード入力画面１１をユーザ端末３に配信することになる。このＩＤパスワード入力画面１１には、ログインＩＤの入力欄１２、パスワードの入力欄１３、ログインボタン（クリックにより入力情報が管理装置１（サーバ部５）に引き渡されるように設定）１４が表示されており、この各入力欄１２，１３に予め取得したログインＩＤ，パスワードを入力した後、ログインボタン１４をクリック（選択）することにより、ログインＩＤ，パスワードの各情報（ＵＲＬに問い合わせ情報が付加された情報）は、管理装置１に送信されることになっている。これにより、管理装置１は、その各情報に基づき、ユーザ登録されたユーザ２か否かを判別し、ユーザ登録されたユーザ２でない場合には、エラー画面を配信する一方、ユーザ登録されたユーザ２である場合には、専門医向けのトップ画面情報をそのユーザ２のユーザ端末３に配信することになる。
【００４８】
また、このＩＤパスワード入力画面１１には、一般医向けサービスのスタートボタン１６、一般国民向けサービスのスタートボタン１７がそれぞれ表示されている。この各ボタン１６，１７には、各サービスのトップ画面に移行させることを管理装置１に要求する要求情報（ＵＲＬ等）が埋め込まれ、その各ボタン１６，１７をクリックすることによりその要求情報が管理装置１（サーバ部５）に引き渡されるように設定されている。
【００４９】
（２）専門医向けサービスへのアクセス
ユーザ２が、前述の如く前記ＩＤパスワード入力画面１１を通じて専門医向けサービスにアクセスすると、管理装置１からの専門医向けのトップ画面情報の配信に基づき、ユーザ端末３には、図４に示すような専門医向けのトップ画面１５が表示される。この専門医向けのトップ画面１５には、ユーザ端末３において、「クモ膜下出血」「脳梗塞」「高血圧」「糖尿病」「気管支喘息」等の疾患表示１８が表示されており、その各疾患表示１８には、その疾患に対応する目次画面への移行を管理装置１に要求する要求情報（文書の指定情報等、必要情報が付加されたＵＲＬ：以下同じ）が埋め込まれ（組み込まれ）、そのいずれかの疾患表示１８をクリックすることにより管理装置１にその要求情報を送信することになっている。このため、例えば図４において、疾患表示「クモ膜下出血」をクリックしたときには、管理装置１は、ユーザ端末３にクモ膜下出血の下での目次画面情報を配信する。
【００５０】
（３）ガイドラインモード（専門医向けサービス）
管理装置１が前記目次画面情報を配信すると、ユーザ端末３には、図５に示すように、ガイドラインモードの目次画面１９（図５はクモ膜下出血の下での目次画面）が表示される。この目次画面１９には、コンテンツタブ２０が表示されており、そのコンテンツタブ２０としては、ガイドライン情報へアクセスするためのガイドラインタブ（図５では「ガイドライン」と表示）２０ａ、関連文献情報へアクセスするための関連文献タブ（図５では「関連文献」と表示）２０ｂ、トピックス情報へアクセスするためのトピックスタブ（図５では「トピックス」と表示）２０ｃ、クリニカルクエスチョン情報へアクセスするためのクリニカルクエスチョンタブ（図５では「クリニカルクエスチョン」と表示）２０ｄが表示されている。その各コンテンツタブ２０ａ〜２０ｄには、その該当コンテンツモードに移行するための要求情報が埋め込まれ、その該当コンテンツタブ２０をクリックすることによりその要求情報が管理装置１に引き渡されるように設定されている。
【００５１】
尚、本実施形態においては、管理装置１が前記目次画面情報を配信するとき、その目次画面１９が優先的にガイドラインモードとなるように設定されており、図５においては、それを認識できるようにすべく、ガイドラインタブ２０ａはアクティブの状態に表示される。
【００５２】
上記ガイドラインモードの目次画面１９には、図５に示すように、「本ガイドラインの目的」、「本ガイドラインの作成方法」等の表示に加えて、「疫学」「診断」「治療」からなる診療ガイドライン項目２１、診療ガイドライン項目２１の前に位置される遷移記号「＞」がそれぞれ表示される。診療ガイドライン項目２１は、各疾患を診療を行う観点から項分けされたもので、その診療ガイドライン項目２１である「疫学」「診断」「治療」には、さらに下位の階層に属する診療ガイドライン項目２１がそれぞれ含まれている（図６参照、図５においては未展開のため図示されず）。各遷移記号「＞」には、各診療ガイドライン項目２１を下位階層項目へ移行することを管理装置１に要求する要求情報が埋め込まれ、その遷移記号「＞」をユーザ２がクリックすることにより管理装置１にその要求情報が送信されるように設定されている。このため、ユーザ２が遷移記号「＞」をクリックした場合には、図６に示すように、そのクリックした遷移記号の右隣に位置する診療ガイドライン項目２１に関し、一段階下位の階層の診療ガイドライン項目２１まで展開する情報と共に、遷移記号を「Ｖ」に変化させる情報が管理装置１からユーザ端末３に配信される。図６は、診療ガイドライン項目２１の全てに関し、最下位階層まで展開した状態を示す。
【００５３】
尚、このガイドラインモードにおける診療ガイドライン項目２１である「疫学」「診断」「治療」、さらには、それらの下位階層項目については、後述の関連文献モード、トピックスモード、クリニカルクエスチョンモードにおいても、同一階層構造をもって用いられることになっている。
【００５４】
上記各診療ガイドライン項目２１には、その診療ガイドライン項目２１に応じた具体的な情報内容を管理装置１に要求するための配信要求情報（リンク情報）がそれぞれ埋め込まれ、その各当診療ガイドライン項目２１をクリックすることによりその配信要求情報が管理装置１に引き渡されるように設定されている。このため、ユーザ２がいずれかの診療ガイドライン項目２１をクリックしたときには、管理装置１は、データベース部６のデータベース管理システム８にアクセスして該当内容をデータベース７から引き出し、その該当内容を、ＨＴＭＬ文書にしてユーザ端末３に配信することになり、ユーザ端末３には、その該当内容を示すガイドライン表示画面２２が図７に示すように表示されることになる。図７は、図６の診療ガイドライン項目２１である「（２）リハビリテーション」をクリックしたことにより、「リハビリテーション」の具体的内容がユーザ端末３に表示された状態を示す。
【００５５】
また、ユーザ端末３に目次画面１９が表示された後には、いずれの画面にも、前記コンテンツタブ２０ａ〜２０ｄ群の下側において、最上位階層から現在位置に至るまでの項目位置表示２３が階層的に表示されることになっている。この最上位階層から現在位置に至るまでの各階層の項目位置表示２３には、管理装置１に対して各階層へ移行することを要求する要求情報が埋め込まれ、その各階層の項目位置表示２３をクリックすることによりその要求情報が管理装置１に送信されことになっており、これに基づき、管理装置１は、その階層における情報をユーザ端末３に配信することになる。例えば、図６においては、現在位置の項目位置表示２３が「急性期以後の治療」の状態を表示するが、この状態で、この項目位置表示２３における最上位階層である項目位置表示「すべて」をクリックすると、図５に示す目次画面１９に変化することになる。
【００５６】
（４）関連文献モード（専門医向けサービス）
ユーザ２が、ガイドラインモードにおける目次画面１９（図５参照）において、関連文献モードとすべく、関連文献タブ２０ｂをクリックすると、関連文献モード移行前の状態がガイドラインモードにおける目次画面１９であったこと（階層位置情報）、関連文献モードに移行することをユーザ２が要求していること等を含めた所定の情報が管理装置１に送信されることになり、それを受けて、管理装置１は、そのガイドラインモードの目次画面１９と同一階層をなす関連文献の目次画面情報を配信し、ユーザ端末３には、図８に示すように、関連文献モードの目次画面２４が表示される（このようなモード間の移行処理の具体的内容については、後述する）。このとき、この関連文献モードの前のガイドラインモードにおいて対象となっていた疾患（クモ膜下出血）が反映される。この関連文献の目次画面２４には、前記ガイドラインモードの目次画面１９の場合のように、診療ガイドライン項目２１として、「疫学」、「診断」、「治療」が表示されると共に、遷移記号「＞」が表示されることになっている。尚、この関連文献モードにおける目次画面において、「その他」が診療ガイドライン項目２１として表示されているが、この「その他」は、いずれにも分類できない情報を所属させる項目である。
【００５７】
関連文献モードにおける遷移記号「＞」は、この関連文献モードにおいても前記ガイドラインモードの場合と同様、クリックすることにより、下位階層項目へ展開することを管理装置１に要求する機能を有している。このため、ユーザ２が遷移記号をクリックして、診療ガイドライン項目２１の全てに関し、最下位階層まで展開したときには、図９に示した状態となる。
【００５８】
関連文献モードにおける各診療ガイドライン項目２１には、前記ガイドラインモードの場合とは異なる配信要求情報が埋め込まれている。すなわち、各診療ガイドライン項目２１には、該各診療ガイドライン項目２１に関連する関連文献の一覧を管理装置１に要求するための配信要求情報が埋め込まれ、各診療ガイドライン項目２１をクリックすることによりその配信要求情報が管理装置１に引き渡されるように設定されている。これにより、ユーザ２が診療ガイドライン項目２１をクリックしたときには、管理装置１は、データベース部６のデータベース管理システム８を介してデータベース７にアクセスして該当診療ガイドライン項目２１に関連する関連文献一覧（リスト）情報を引き出し、その関連文献一覧情報を、ＨＴＭＬ文書にしてユーザ端末３に配信することになり、ユーザ端末３には、クリックした該当診療ガイドライン項目２１に関連する関連文献一覧表示２５を表示する関連文献一覧画面２６が、図１０に示すように、表示されることになる。図１０は、図９において診療ガイドライン項目２１である「（２）リハビリテーション」をクリックしたことにより、診療ガイドライン項目２１「リハビリテーション」に関連する関連文献一覧表示２５がユーザ端末３に表示された状態を示す。
【００５９】
上記関連文献一覧表示２５には、図１０に示すように、各関連文献のタイトル、筆者、出典、発行年、ガイドライン情報内容での引用の有無、研究デザイン等が表示されることになっている。このうち、各関連文献のタイトルには、その関連文献の具体的内容を管理装置１に要求する配信要求情報が埋め込まれ、いずれかの関連文献のタイトルをクリックすることによりその配信要求情報が管理装置１に引き渡されるように設定されている。このため、ユーザ２が、ユーザ端末２において、関連文献のタイトルとして例えば「クモ膜下出血におけるＮａバランス症候性脳血管攣縮との関連で」をクリックしたときには、そのユーザ端末３には、図１１に示すように、その関連文献の具体的内容を示す関連文献表示画面２７が表示される。本実施形態においては、関連文献の具体的内容として、医療専門家により作成された信頼性の高い抄録（要約）が表示されることになるが、オリジナル文献の内容を関連文献の具体的内容として表示してもよいことは勿論のことである。
【００６０】
前記関連文献一覧画面２６にはまた、図１０に示すように、複数の関連文献の具体的内容をユーザ端末３において同時に表示するために、選択欄２８と、その選択欄２８において選択された全ての関連文献の内容を一括表示する一括表示ボタン２９が表示されている。この一括表示ボタン２９には、クリックすることにより、選択された関連文献全てを要求する配信要求情報が管理装置１に引き渡されるように設定されている。
【００６１】
（５）関連文献モードからガイドラインモードへの移行
ユーザ端末３に関連文献一覧画面２６（図１０参照）又は関連文献表示画面２７（図１１参照）が表示されている状態において、ガイドラインタブ２０ａをクリックしてガイドラインモードとしたときには、ユーザ端末３には、関連文献モードにおいて表示していた診療ガイドライン項目２１に対応した（同じ階層の）ガイドライン表示が表示されるように設定されている。例えば、関連文献一覧画面２６又は関連文献表示画面２７における表示内容が、図１０又は図１１に示すように、「リハビリテーション」に関するものであるとき、ガイドラインタブ２０ａをクリックすると、図７に示す状態、すなわち「リハビリテーション」に関するガイドライン表示画面２２が表示されることになる。
【００６２】
（６）ガイドラインモードから関連文献モードへの移行
逆に、ガイドライン表示画面２２の状態から関連文献タブ２０ｂをクリックしたときには、ガイドライン表示画面２２において表示していた診療ガイドライン項目２１に対応した（同一階層の）関連文献一覧表示２５が表示されるように設定されている。例えば図７に示すように、ガイドラインモードの下で、診療ガイドライン項目２１である「（２）リハビリテーション」の具体的内容がユーザ端末３に表示されている状態において、ユーザ２が関連文献タブ２０ｂをクリックすると、同じ階層ある「（２）リハビリテーション」に関連する関連文献一覧表示２５が、図１０に示すように、ユーザ端末３に表示されることになる。
【００６３】
上記モード間の移行に関し、ガイドラインモードから関連文献モードに移行する場合を例にとって、図５１に基づき具体的に説明すれば、ユーザ端末３にガイドライン表示画面２２が表示されている状態において、ユーザ２が関連文献タブ２０ｂをクリック（選択）すると、要求対象を関連文献（モード）とする情報、関連文献タブ２０ｂをクリックする直前の階層位置情報（ガイドライン表示画面２２において表示していた診療ガイドライン項目２１の位置情報）、その階層位置情報と同一の下での関連文献情報の検索要求情報、ＣＧＩの起動要求情報等の関連文献を引き出すために必要な情報を含むＵＲＬが管理装置１に送信される（図５１においてＳ１参照）。管理装置１においては、上記情報に基づき、サーバ部（ＷＷＷサーバ）５がＣＧＩを起動し、そのＣＧＩが、データベース管理システム８を起動してユーザ端末３から送信されてきた情報のうちの必要な情報を該データベース管理システム８に引き渡す（図５１においてＳ２参照）。データベース管理システム（ＲＤＢＭＳ）８は、その情報に基づき、データベース（ＤＢ）７にアクセスして関連文献情報を検索し（例えばＳＱＬ文等を使用）、その検索結果情報をサーバ部（ＣＧＩ）５に引き渡す（図５１においてＳ３参照）。その検索結果情報は、サーバ部５においてＨＴＭＬ化された後、ユーザ端末３に配信される（図５１においてＳ２参照）。この検索結果情報は、ユーザ端末において、ガイドライン表示画面２２において表示していた診療ガイドライン項目２１に対応した（同一階層の）関連文献一覧画面２６として表示される（図５１においてＳ４参照）。
【００６４】
したがって、ユーザ２は、ガイドラインモードにおいて所望の診療情報を得た後、その所望の診療情報に極めて関連する関連文献（の具体的内容）を即座に得ることができ、その関連文献をもって所望の診療情報の信頼性、妥当性等を客観的に確認することができることになる。
【００６５】
尚、上記モード間の移行処理は、後述のモード（トピックスモード、クリニカルクエスチョンモード）を含めた各モード間においても、同様に行われる。また、データベース部６に対するアクセスに際して、ＣＧＩを用いた例を説明したが、勿論、ＣＧＩの代わりに独自のＡＰＩ（Application Program Interface）で直接データベース部６にアクセスして、多くの問い合わせに対応すると共に高速でデータベース部６とのやり取りを実現するようにしてもよい。
【００６６】
（７）トピックスモード（専門医向けサービス）
ユーザ２が、ガイドラインモードにおける目次画面（図５参照）又は関連文献モードにおける目次画面（図８参照）において、トピックスモードとすべく、トピックスタブ２０ｃをクリックすると、トピックスモード移行前の状態がガイドラインモード等における目次画面１９（２４）であったこと、トピックスモードに移行することをユーザ２が要求していること等を含めた所定の情報が管理装置１に送信されることになり、それを受けて、管理装置１は、そのガイドラインモード等の目次画面１９（２４）と同一階層をなすトピックスモードの目次画面情報を配信し、ユーザ端末３には、図１２に示すように、トピックスモードの目次画面３０表示される。このとき、このトピックスモードの前のモードにおいて対象となっていた疾患（クモ膜下出血）が反映される。このトピックスモードの目次画面３０には、前記関連文献モードの目次画面２４の場合同様、診療ガイドライン項目２１として、「疫学」、「診断」、「治療」、いずれにも分類できない情報を所属させるための「その他」項目が表示されると共に、遷移記号「＞」が表示されることになる。
【００６７】
トピックスモードにおける遷移記号「＞」は、このトピックスモードにおいても前記ガイドラインモード又は関連文献モードの場合と同様、クリックされることにより、下位階層項目へ展開することを管理装置１に要求する機能が設定されている。図１３は、ユーザ２が遷移記号をクリックして、診療ガイドライン項目２１の全てに関し、最下位階層まで展開した状態を示す。
【００６８】
トピックスモードにおける各診療ガイドライン項目２１には、前記ガイドラインモード、関連文献モードとは異なる配信要求情報が設定されている。すなわち、各診療ガイドライン項目２１には、その各診療ガイドライン項目２１に関連するトピックスのタイトル一覧を管理装置１に要求するための配信要求情報が埋め込まれ、その該当診療ガイドライン項目２１をクリックすることによりその要求情報が管理装置１に引き渡されるように設定されている。これにより、ユーザ２が診療ガイドライン項目２１をクリックしたときには、管理装置１は、データベース部６のデータベース管理システム８を介してデータベース７にアクセスして該当診療ガイドライン項目２１に関連するトピックスのタイトル一覧（リスト）情報を引き出し、そのトピックスのタイトル一覧情報を、ＨＴＭＬ文書にしてユーザ端末３に配信することになる。この結果、ユーザ端末３には、図１４に示すように、トピックスのタイトル一覧画面３２が表示されることになり、そのトピックスのタイトル一覧画面３２には、クリックした該当診療ガイドライン項目２１に関連するトピックスのタイトル一覧表示３１が日付と共に表示されることになる。図１４は、図１３において診療ガイドライン項目２１である「（２）リハビリテーション」をクリックしたことにより、診療ガイドライン項目２１「リハビリテーション」に関連するトピックスのタイトル一覧表示３１がユーザ端末３に表示された状態を示す。
【００６９】
上記トピックスのタイトル一覧画面３２には、各タイトル毎にトピックス情報の具体的内容を管理装置１に配信要求する配信要求情報がそれぞれ埋め込まれ、そのタイトルをクリックすることによりその配信要求情報が管理装置１に引き渡されるように設定されている。このため、ユーザが、ユーザ端末２において、トピックス一覧表示３１の中からタイトルとして例えば「ＡＳＡの脳梗塞診療ガイドラインが改訂、「発症３時間以内のｔＰＡ静注」を推奨に」（図１４参照）をクリックしたときには、管理装置１からの配信に基づき、ユーザ端末３には、図１５に示すように、トピックス表示画面３３が表示され、そのトピックス表示画面３３には、そのトピックス情報の具体的内容が示されることになる。
【００７０】
（８）トピックスモードからガイドラインモード又は関連文献モードへの移行
ユーザ端末３にトピックスのタイトル一覧画面３２（図１４参照）又はトピックス表示画面３３（図１５参照）が表示されている状態において、ユーザ２がガイドラインタブ２０ａをクリックしてガイドラインモードとしたときには、ガイドラインモードに移行する前の情報を含めた種々の情報が管理装置１に送信されることに基づき、該管理装置１から配信を受け、ユーザ端末３には、トピックスモードにおいて表示していた診療ガイドライン項目２１に対応したガイドライン表示が表示されることになる。また、同じく、ユーザ端末３にトピックスのタイトル一覧画面３２（図１４参照）又はトピックス表示画面３３（図１５参照）が表示されている状態において、ユーザ２が関連文献タブ２０ｂをクリックして関連文献モードとしたときには、ユーザ端末３には、トピックスモードにおいて表示していた診療ガイドライン項目２１に対応した関連文献一覧画面２６が表示されることになる。このようなモード間の移行に関する具体的構成、作用については、前述のガイドラインモードから関連文献モードに移行させる場合に対応したもの（同様のもの）となっている。
【００７１】
（９）ガイドラインモード又は関連文献モードからトピックスモードへの移行
逆に、ガイドラインモードにおいて具体的内容が表示されている状態、関連文献モードにおいて関連文献一覧画面２６（図１０参照）若しくは関連文献表示画面（図１１参照）からトピックスモードに移行するために、トピックスタブ２０ｃをクリックしたときには、トピックスモードに移行する前の情報を含めた種々の情報が管理装置１に送信されることに基づき、該管理装置１から配信を受け、ガイドライン表示画面２２（又は関連文献一覧画面２６若しくは関連文献表示画面２７）に表示されている具体的内容に対応するトピックスのタイトル一覧表示３１がユーザ端末３に表示されることになる。このようなモード間の移行に関する具体的構成、作用についても、前述のガイドラインモードから関連文献モードに移行させる場合に対応したもの（同様のもの）となっている。
【００７２】
したがって、ユーザ２おいては、特に、ガイドラインモードにおいて所望のガイドライン情報を得た後、その所望のガイドライン情報に極めて関連するトピックス情報を即座に得て、所望のガイドライン情報を多面的な面から把握できることになる。
【００７３】
（１０）クリニカルクエスチョンモード
ユーザ２が、ガイドラインモードにおける目次画面１９（図５参照）、関連文献モードにおける目次画面２４（図８参照）、トピックスモードにおける目次画面３０（図１２参照）のいずれかにおいて、クリニカルクエスチョンモードとすべく、クリニカルクエスチョンタブ２０ｄをクリックすると、クリニカルクエスチョンモード移行前の状態がガイドラインモード等における目次画面１９（２４、３０）であったこと、クリニカルクエスチョンモードに移行することをユーザ２が要求していること等を含めた所定の情報が管理装置１に送信されることになり、それを受けて、管理装置１は、そのガイドラインモード等の目次画面１９（２４、３０）と同一階層をなすクリニカルクエスチョンモードの目次画面情報を配信し、ユーザ端末３には、図１６に示すように、クリニカルクエスチョンモードの目次画面３４表示される。このとき、このクリニカルクエスチョンモードになる前のモードにおいて対象となっていた疾患（クモ膜下出血）が反映される。このクリニカルクエスチョンモードの目次画面３４には、前記関連文献モードの目次画面２４等の場合同様、診療ガイドライン項目２１として、「疫学」、「診断」、「治療」、いずれにも分類できない情報を所属させるための「その他」項目が表示されると共に、遷移記号「＞」が表示されることになっている。
【００７４】
クリニカルクエスチョンモードにおける遷移記号「＞」は、このクリニカルクエスチョンモードにおいても前記ガイドラインモード、関連文献モード及びトピックスモードの場合と同様、クリックされることにより、下位階層項目へ展開することを管理装置１に要求する機能を有している。このため、ユーザ２が遷移記号をクリックして、例えば診療ガイドライン項目２１の全てに関し、最下位階層まで展開したときには、図１７の状態となる。
【００７５】
クリニカルクエスチョンモードにおける各診療ガイドライン項目２１には、前記ガイドラインモード、関連文献モード、トピックスモードとは異なる配信要求情報が設定されている。すなわち、各診療ガイドライン項目２１には、その診療ガイドライン項目２１に関連するクリニカルクエスチョンの一覧を管理装置１に要求するための配信要求情報が埋め込まれ、各診療ガイドライン項目２１をクリックすることによりその配信要求情報が管理装置１に引き渡されるように設定されている。これにより、ユーザ２が診療ガイドライン項目２１をクリックしたときには、管理装置１は、データベース部６のデータベース管理システム８を介してデータベース７にアクセスして該当診療ガイドライン項目２１に関連するクリニカルクエスチョン一覧（リスト）情報を引き出し、そのクリニカルクエスチョン一覧情報を、ＨＴＭＬ文書にしてユーザ端末３に配信することになる。この結果、ユーザ端末３には、図１８に示すように、クリニカルクエスチョン一覧画面３６が表示され、そのクリニカルクエスチョン一覧画面３６には、クリックした該当診療ガイドライン項目２１に関連するクリニカルクエスチョン一覧表示３５が示されることになる。図１８は、図１７において診療ガイドライン項目２１である「（２）リハビリテーション」をクリックしたことにより、その「リハビリテーション」に関連するクリニカルクエスチョン一覧画面３６がユーザ端末３に表示された状態を示す。
【００７６】
上記クリニカルクエスチョン一覧画面３６における各クリニカルクエスチョン表示３５ａには、そのクリニカルクエスチョンに対して応答することと、ガイドライン、関連文献、トピックスに関連するものがどれだけあるかを検索することとを管理装置１に要求する要求情報が埋め込まれ、各クリニカルクエスチョン表示３５ａをクリックすれば、その要求情報が管理装置１に引き渡されるように設定されている。このため、ユーザ２が、ユーザ端末２において、クリニカルクエスチョン表示３５ａとして例えば「再出血予防処置の適応がない場合とはどんなときか？」をクリックしたときには、上記要求情報を受けて管理装置１は、データベース７を検索した後、クリニカルクエスチョンに対する応答情報と、ガイドライン、関連文献、トピックスに関連するヒット件数情報とをユーザ端末３に配信し、ユーザ端末３には、図１９に示すように、応答表示３５ｂと、ヒット件数一覧表示３７とを示すクリニカルクエスチョン応答画面３８が表示されることになる。
【００７７】
上記クリニカルクエスチョン応答画面３８のヒット件数一覧表示３７には、ガイドライン、関連文献、トピックス毎に、ヒット件数が示されていると共に、一覧表示３９がそれぞれ示されている。各一覧表示３９には、ガイドライン、関連文献、トピックスに関する一覧情報を管理装置１に配信要求する配信要求情報が埋め込まれ、各一覧表示３９をクリックすることによりその配信要求情報が管理装置１に引き渡されるように設定されている。このため、例えば、診療ガイドライン項目「リハビリテーション」に関するヒット件数一覧表示３７を示す図１９において、ガイドラインに関する一覧表示３９をクリックしたときには、図２０に示すように、ガイドラインの診療ガイドライン一覧表示４０を示すガイドライン一覧表示画面４１が表示され、同様に、図１９において、関連文献に関する一覧表示３９をクリックしたときには、図２１に示すように、関連文献等一覧表示４２を示す関連文献等一覧画面４３が表示され、また、図１９において、トピックスに関する一覧表示３９をクリックしたときには、図２２に示すように、トピックスのタイトル一覧表示４４を示すタイトル一覧画面４５が表示される。
【００７８】
このようなガイドラインの診療ガイドライン一覧表示４０（図２０参照）の各診療ガイドライン表示４０ａ、関連文献等一覧表示４２（図２１参照）の各タイトル表示４２ａ、トピックスのタイトル一覧表示４４（図２２参照）の各タイトル表示４４ａには、その各具体的内容を管理装置１に対して配信要求する配信要求情報が埋め込まれ、その各表示４０ａ、４２ａ、４４ａをクリックすることによりその配信要求情報を管理装置１に送信するように設定されている。このため、ユーザ２がユーザ端末３において各表示４０ａ，４２ａ，４４ａをクリックしたときには、その内容に応じて、図２３に示すようなガイドライン表示画面２２、図２４に示すような関連文献表示画面２７、図２５に示すようなトピックス表示画面３３がそれぞれ表示されることになる。
【００７９】
（１１）クリニカルクエスチョンモードからガイドラインモード等への移行
ユーザ端末３にクリニカルクエスチョン一覧画面３６、クリニカルクエスチョン応答画面３８、クリニカルクエスチョンモードにおけるガイドライン一覧表示画面４１が表示されている状態において、ユーザ２がガイドラインタブ２０ａをクリックしてガイドラインモードとしたときには、ガイドラインモードに移行する前の情報を含めた種々の情報が管理装置１に送信されることに基づき、該管理装置１から配信を受け、ユーザ端末３には、クリニカルクエスチョンモードにおいて表示していた診療ガイドライン項目２１に対応したガイドライン表示が表示されることになる。また、同じく、ユーザ端末３にクリニカルクエスチョン一覧画面３６、クリニカルクエスチョン応答画面３８、クリニカルクエスチョンモードにおけるガイドライン一覧表示画面４１が表示されている状態において、ユーザ２が関連文献タブ２０ｂをクリックして関連文献モードとしたときには、ユーザ端末３には、クリニカルクエスチョンモードにおいて表示していた診療ガイドライン項目２１に対応した関連文献一覧画面２６が表示されることになる。さらに、ユーザ端末３にクリニカルクエスチョン一覧画面３６、クリニカルクエスチョン応答画面３８、クリニカルクエスチョンモードにおけるガイドライン一覧表示画面４１が表示されている状態において、ユーザ２がトピックスタブ２０ｂをクリックしてトピックスモードとしたときには、ユーザ端末３には、クリニカルクエスチョンモードにおいて表示していた階層の診療ガイドライン項目２１に対応したトピックスのタイトル一覧画面３２が表示されることになる。このようなモード間の移行に関する具体的構成、作用については、前述のガイドラインモードから関連文献モードに移行させる場合に対応したもの（同様のもの）となっている。
【００８０】
（１２）ガイドラインモード等からクリニカルクエスチョンモードへの移行
逆に、ガイドラインモードにおいて具体的内容が表示されている状態、関連文献モードにおいて関連文献一覧画面２６（図１０参照）若しくは関連文献表示画面（図１１参照）が表示されている状態、トピックスモードにおけるタイトル一覧画面３２若しくはトピックス表示画面３３が表示されている状態からクリニカルクエスチョンモードに移行するために、クリニカルクエスチョンタブ２０ｄをクリックしたときには、ユーザ端末３には、ガイドラインモード等において表示していた階層の診療ガイドライン項目２１に対応したクリニカルクエスチョン一覧画面３６が表示されることになる。このようなモード間の移行に関する具体的構成、作用についても、前述のガイドラインモードから関連文献モードに移行させる場合に対応したもの（同様のもの）となっている。
【００８１】
したがって、ユーザ２おいては、特に、ガイドラインモードにおいて所望の診療情報を得た後、その所望の診療情報に関連するクリニカルクエスチョン情報を即座に得て、所望の診療情報を深く把握できることになる。
【００８２】
（１３）検索モード（専門医向けサービス）
専門医向けトップ画面１５からいずれかの目次画面１９，２４，３０，３４に移行した後においては、図５等に示すように、いずれの画面においても、左上部位置において、検索表示４６が表示されることになる。この検索表示４６には、検索画面情報を管理装置１に要求する要求情報が埋め込まれ、その検索表示４６をクリックすることによりその要求情報を管理装置１に送信するように設定されている。これにより、ユーザ２が検索表示４６をクリックすれば、その要求情報を受けた管理装置１の配信に基づき、ユーザ端末３には、図２６に示すように、検索画面４７が表示されることになる。
【００８３】
上記検索画面４７には、図２６に示すように、ヒット件数一覧表示４８と、検索窓４９と、検索ボタン５０とが表示されることになっている。ヒット件数一覧表示４８には、検索対象であるガイドライン、関連文献、トピックス、クリニカルクエスチョンに該当するものがどれだけの件数があるかが表示されると共に、その各検索対象に対する表示の実行を要求するための一覧表示５１が表示されることになる。この場合、図２６は、検索モードに移行したばかりで、検索を行っていないときを示しており、そのヒット件数一覧表示４８には、各検索対象において、項目位置表示２３（図２６においては急性期以後の治療）の階層における全ての検索対象数がヒット件数として表示される。この図２６に示す状態は、項目位置表示２３の階層を上位の階層に移行させた場合には（図２７において、「すべて」に移行した状態を示す）、図２７に示すように、検索対象の範囲が広がることになる（件数が多くなる）。これは、検索語の入力前だけでなく、入力中においても同様に検索対象の範囲が拡がることになる。
【００８４】
前記検索窓４９と前記検索ボタン５０とは、ワード検索を行うために使われるものである。検索窓４９には、検索すべきワードとしての検索語が入力され、検索ボタン５０は、そのクリックにより、入力された検索語を管理装置１に送信してその検索を要求する機能を有している。これにより、ユーザ２が検索ボタン５０をクリックして検索を管理装置１に要求したときには、管理装置１は、検索語に基づき検索を行い、その検索結果をユーザ端末３に配信することになる。
【００８５】
（１４）検索の具体的説明（専門医向けサービス）
図２８は、項目位置表示「急性期以後の治療」の階層の下で、検索窓４９に検索語として「クリッピング」を入力し、検索ボタン５０をクリックした場合の結果を示すものである。この場合、検索画面４７におけるヒット件数一覧表示４８には、検索の結果として、各検索対象についてのヒット件数が表示される。この状態で（項目位置表示「急性期以後の治療」の階層の下で）、検索対象がガイドラインである一覧表示５１をクリックすると、ユーザ端末３には、図２９に示すように、検索窓４９（次の入力のため空白状態）、検索ボタン５０を表示した状態を維持しつつ、ガイドライン一覧画面５３が表示されることになり、そのガイドライン一覧画面５３には、検索語含んでいる診療ガイドライン表示５２ａと、そのタイトル表示５２ｂとが示されることになる。この図２９は、項目位置表示が「急性期以後の治療」についてのものであるが、項目位置表示２３の階層を「治療」まで上げたときには、図３０に示すように、検索対象数が増加してガイドライン一覧画面５３におけるタイトル表示５２ｂ等の数が増加した状態となる。このようなガイドライン一覧画面５３において、ユーザ２がタイトル表示５２ｂをユーザ端末３を通じてクリックしたときには、そのタイトル表示５２ｂに埋め込まれている管理装置１への配信要求情報を受けて、管理装置１は、その具体的内容を示すガイドライン表示画面情報を配信することになり、その具体的内容を示すガイドライン表示画面２２が、図７に示すように、ユーザ端末３に表示されることになる。
【００８６】
図２８に示すヒット件数一覧表示４８において、ユーザ２が関連文献の一覧表示５１を項目位置表示「急性期以後の治療」の階層の下でクリックすると、図３１に示すように、検索窓４９（次の入力のため空白状態）、検索ボタン５０を表示した状態を維持しつつ、関連文献一覧２５を示す関連文献一覧画面２６がユーザ端末３に表示されることになる。図３１は、項目位置表示が「急性期以後の治療」についてのものであるが、項目位置表示２３の階層をクリックして「治療」まで上げたときには、図３２に示すように、検索対象数が増加して関連文献一覧画面２５における関連文献一覧の数が増加した状態となる。このような関連文献一覧画面２５において、いずれかのタイトル表示をユーザ２がクリックしたときには、そのタイトル表示５２ｂに埋め込まれている管理装置１への配信要求情報を受けて、管理装置１は、その具体的内容を示す関連文献表示画面情報を配信することになり、その具体的内容が、図１１に示すように、関連文献表示画面２７としてユーザ端末３に表示されることになる。
【００８７】
図２８に示すヒット件数一覧表示４８において、ユーザ２がトピックスの一覧表示５１を項目位置表示「急性期以後の治療」の階層の下でクリックすると、図３３に示すように、検索窓４９（次の入力のため空白状態）、検索ボタン５０を表示した状態を維持しつつ、トピックスのタイトル一覧表示３１を示すトピックスのタイトル一覧画面３２がユーザ端末３に表示されることになる。図３３は、項目位置表示が「急性期以後の治療」についてのものであるが、項目位置表示２３の階層をクリックして「治療」まで上げたときには、図３４に示すように、検索対象数が増加してトピックスのタイトル一覧表示３１におけるタイトルの数が増加した状態となる。このようなトピックスのタイトル一覧画面３２において、タイトル一覧表示３１におけるタイトル表示をユーザ２がクリックしたときには、そのタイトル表示に埋め込まれている管理装置１への配信要求情報を受けて、管理装置１は、その具体的内容を示すトピックス表示画面情報を配信することになり、その具体的内容が、前記図１５に示すように、トピックス表示画面３３としてユーザ端末３に表示されることになる。
【００８８】
図２８に示すヒット件数一覧表示４８において、ユーザ２がクリニカルクエスチョンの一覧表示５１を項目位置表示「急性期以後の治療」の階層の下でクリックすると、図３５に示すように、検索窓４９（次の入力のため空白状態）、検索ボタン５０を表示した状態を維持しつつ、クリニカルクエスチョン一覧表示３５を示すクリニカルクエスチョン一覧画面３６がユーザ端末３に表示されることになる。図３５は、項目位置表示が「急性期以後の治療」についてのものであるが、項目位置表示２３の階層をクリックして「治療」まで上げたときには、図３６に示すように、検索対象数が増加してクリニカルクエスチョンのクリニカルクエスチョン一覧表示３５におけるクリニカルクエスチョン表示３５ａの数が増加した状態となる。このようなクリニカルクエスチョン一覧画面３６において、クリニカルクエスチョン一覧表示３５のクリニカルクエスチョン表示３５ａをユーザ２がクリックしたときには、クリニカルクエスチョン表示３５ａに埋め込まれている管理装置１への配信要求情報を受けて、管理装置１は、検索結果画面情報を配信し、ユーザ端末３は、図３７に示すように、検索結果画面６０を表示することになる。この検索結果画面６０は、検索結果一覧表示６１を表示することになっており、その検索結果一覧表示６１には、ガイドライン、関連文献、トピックスについて、ヒット件数を示すヒット件数表示６２が示されると共に、ガイドラインについてはガイドライン表示６３、関連文献については文献名表示６４、トピックスについては簡易な概略表示６５が示されることになる。このガイドラインにおける簡単な応答表示６３、関連文献における文献名表示６４、トピックスにおける簡易な概略表示６５には、クリックによってそれぞれのモードに戻って、具体的内容を表示させることを管理装置１に要求する配信要求情報が埋め込まれている。
【００８９】
（１５）詳細検索（専門医向けサービス）
前記検索モードに入った後には、図２６等に示すように、詳細検索を要求するための詳細検索表示６６が表示されることになっている。この詳細検索表示６６には、詳細検索入力画面６７にジャンプするための管理装置１に対する要求情報が埋め込まれており、ユーザ２がユーザ端末３を通じてクリックしたときには、ユーザ端末３に、図３８に示すように、詳細検索入力画面６７が表示されることになる。この詳細検索入力画面６７には、前記ヒット件数一覧表示４８が表示されるばかりか、検索語を入力するための複数の検索窓６８、インデックス検索を行うためのキーワード選択表示６９、関連文献に関して属性による絞り込みを行う文献属性入力部７０、検索を要求するための検索ボタン７１が表示されることになる。複数の検索窓６８は、本実施形態においては３つ備えられており、この３つの検索窓に入力される検索語に対してand条件、or条件を適宜設定できることになっている。キーワード選択表示６９は、ユーザ端末３を通じて選択できるキーワード群を表示した欄で、この各キーワードは、医療専門家によりガイドライン、関連文献、トピックス、クリニカルクエスチョンの各情報（レコード）に対して医学的観点から予め付記されたものである（機構キーワード）。文献属性入力部７０は、文献の発行年、研究デザインの種類、タイトル、著者等の条件を入力することにより、関連文献の検索対象を絞り込む機能を有している。これら検索窓６８における検索語、キーワード選択表示の選択キーワード、文献入力部７０における入力条件は、原則として、and条件で結びつけられるが、キーワード選択表示６９での選択キーワードのみによる検索も選択により行うことができることになっている。また、文献入力部７０については、関連文献の検索のみに使用されることになる。
【００９０】
したがって、例えば、複数の検索窓６８により、「クリッピング」または「出血死」かつ「クモ膜下」を入力条件として特定し、キーワード選択表示により「高血圧」を選択し、文献属性入力７０において、発行年を「１９８８〜２００３」、著者を「山田」、研究デザインを「メタアナリシス」として特定し、検索ボタン７１をクリックすると、図３９に示すように、当初の検索画面４７に戻り、その検索画面４７には、そのときの検索条件に応じたヒット件数一覧表示４８が表示されることになる。このとき、検索窓４９は、次に入力する検索語による絞り込みのために空白状態として表示される。
【００９１】
上記詳細検索入力画面６７においては、２つの方法によってシソーラス検索（類似、類義語検索）をも行うことができることになっている。第１の方法は、ユーザ２の検索語入力の支援を図るべく、検索窓６８の下部に表示されるシソーラス展開選択ボタン「シソーラスをチェック」を利用する方法である。この第１の方法においては、検索窓に検索語を入力した後、シソーラス展開選択ボタン「シソーラスをチェック」をクリックすれば、検索窓６８に入力された検索語の類義語が別ウインドウに表示され、その類義語を選択することによりその類義語を検索対象に含めることができることになっている。例えば、検索窓６８に「高血圧」と入力した後、シソーラス展開選択ボタン「シソーラスをチェック」をクリックすると、図４０に示すように、別ウインドウ７２が開き、そのウインドウ７２内に「高血圧」の類義語一覧表７３が表示されることになる。ユーザ２は、ユーザ端末３を通じて該当する類義語を選択（クリックによるチェック）して決定ボタン７４をクリックすることにより、選択された類義語を検索対象に含めることができることになる。
【００９２】
第２の方法は、検索窓６８に入力された検索語の類義語のすべて（下位語及び同義語のすべて）を、検索時に検索対象とする方法である。この第２の方法においては、ユーザ２は、詳細検索入力画面６７で「すべての検索語を自動的にシソーラス展開する」の入力欄７５を選択し、その後、検索窓６８に検索語を入力することになる。
【００９３】
（１６）検索履歴（専門医向けサービス）
前記検索モードに入った後には、図２６等に示すように、検索の履歴を表示するための検索履歴表示７６が表示されることになっている。この検索履歴表示７６には、検索履歴表示画面情報を要求する要求情報が埋め込まれており、ユーザ２がユーザ端末３を通じてクリックしたときには、ユーザ端末３に、図４１に示すように、検索履歴表示画面７７が表示されることになる。この検索履歴表示画面７７には、検索履歴一覧表示７８が表示されており、その検索履歴一覧表示７８には、検索条件と、各モードにおけるヒット件数を一組として、新しいものほど上側に位置するように表示されることになっている。
【００９４】
（１７）ケースシナリオ（専門医向けサービス）
前記ガイドラインモードの目次画面１９には、図５に示すように、ケースシナリオ表示７９が表示されることになっている。ケースシナリオ表示７９には、ケースシナリオに関する情報を管理装置１に対して要求する要求情報が埋め込まれており、そのケースシナリオ表示７９をクリックすることによりケースシナリオモードに移行することになる。このケースシナリオは、本サービスを利用する医療関係者（ユーザ）が、対象となる患者の情報を入力して、順次設問に応答することにより、診療ガイドライン上の適切な該当個所に誘導するものである。例えば、糖尿病の例では、血糖値をもとに代表的な治療方法に誘導されることになる。
【００９５】
（１８）一般医向けサービスへのアクセス
ユーザ２が、前記ＩＤパスワード入力画面１１（図３参照）における一般医向けスタートボタン１６を通じて一般医向けサービスにアクセスすると、ユーザ端末３には、図４２に示すような一般医向けのトップ画面８０が表示されることになる。この一般医向けのトップ画面８０には、対象とする疾患表示１８が表示されることになっており、この各疾患等表示１８には、その疾患に対応する目次画面へのリンク要求情報（ＵＲＬ等）が埋め込まれ、そのいずれかの疾患表示１８をクリックすることにより管理装置１にその要求情報が送信されることになっている。このため、図４２において、疾患表示「喘息ガイドライン  一般医用」をクリックしたときには、管理装置１は、ユーザ端末３に喘息の下での目次画面情報を配信することになり、ユーザ端末３には、図４３に示すように、目次画面８１（図４３は喘息の下での目次画面）が表示されることになる。この目次画面８１には、ガイドラインの目次項目８２が表示されており、その各目次項目８２には、具体的内容を管理装置１に要求する配信要求情報（ＵＲＬ）が埋め込まれ、ユーザ２が目次項目８２をクリックすることによりその要求情報が管理装置１に引き渡されることになっている。これにより、管理装置１は、クリックした目次項目８２の具体的内容をなすガイドライン表示画面情報をユーザ端末３に配信することになり、ユーザ端末３には、図４４に示すように、そのガイドライン表示画面８３が表示されることになる。
【００９６】
（１９）一般国民向けサービスへのアクセス（ガイドラインモード）
ユーザ２が、前記ＩＤパスワード入力画面１１（図３参照）における一般国民向けスタートボタン１７を通じて一般国民向けサービスにアクセスすると、ユーザ端末３には、図４５に示すように、ガイドラインモードとなって、その目次画面８４が表示されることになる。このガイドラインモードの目次画面８４には、ユーザ端末３において、目次項目８５が表示されており、その各目次項目８５には、その目次項目８５に対応するガイドライン表示画面情報への要求情報（ＵＲＬ等）が埋め込まれ、そのいずれかの目次項目８５をクリックすることにより管理装置１にその要求情報が送信されることになっている。このため、例えば図４５において、目次項目「喘息を管理すると言うことの意味」をクリックしたときには、管理装置１は、上記目次項目８５の具体的内容を示すガイドライン表示画面情報をユーザ端末３に配信することになり、それに基づき、ユーザ端末３には、図４６に示すように、そのガイドライン表示画面８６が表示されることになる。
【００９７】
前記目次画面８４には、その目次画面８４にアクセスすると優先的にアクティブ状態となるガイドラインタブ２０ａに加えて、トピックスタブ２０ｃ、クリニカルクエスチョンタブ２０ｄが、コンテンツタブ２０として表示されることになっている。この一般国民向けサービスの場合も、コンテンツタブ２０は、各モードを切り替えるために用いられており、各タブをクリックすることにより、そのクリックしたモードに切り替わることになっている。
【００９８】
（２０）トピックスモード（一般国民用）
トピックスタブ２０ｃをクリックしてトピックモードにしたときには、図４７に示すように、トピックスモードの目次画面８７が表示されることになっている。このトピックスモードの目次画面８７には、トピックス情報の一覧８８が表示されることになっており、その各トピック情報表示８９には、具体的内容にジャンプするためのリンク情報が埋め込まれ、そのいずれかのトピックス情報表示８９をクリックすることにより、その具体的内容を表示するトピックス表示画面がユーザ端末３に表示されることになっている。
【００９９】
（２１）クリニカルクエスチョンモード（一般国民用）
クリニカルクエスチョンタブ２０ｄをクリックしてクリニカルクエスチョンモードにしたときには、図４８に示すように、クリニカルクエスチョンモードの目次画面９０が表示されることになっている。このクリニカルクエスチョンモードの目次画面９０には、前記ガイドラインモードの場合と同様の目次項目９１が表示されている。しかし、この各目次項目９１には、前記ガイドラインの場合とは異なり、その目次項目９１に関連する質問一覧を要求する要求情報が埋め込まれ、各目次項目９１をクリックすることによりその要求情報が管理装置１に送信されることになっている。これにより、各目次項目９１をクリックすれば、図４９に示すような質問一覧画面９２が表示され、以下、専門医向けサービスにおけるクリニカルクエスチョンモードと同様の手順に従ってクリック操作を行えば、ユーザ２は、具体的内容を得ることができることになる（図１９〜図２５参照）。但し、この一般国民向けサービスにおいては、関連文献モードを選択できるように設定されておらず、ユーザ２は、この一般国民向けサービスを通じて関連文献情報を得ることはできない。
【０１００】
（２２）検索（一般国民用）
一般国民向けサービスにおいては、目次画面８４にアクセスした後において、いずれの画面にも、検索窓９４と検索ボタン９５とが表示され、専門医向けサービスの場合と同様、ワード検索を行うことができることになっている。図５０は、検索窓９４に検索語を入力し、検索ボタン９５をクリックした結果を示す検索結果画面９３で、この検索結果画面９３には、検索対象としてのガイドライン、トピックス、クリニカルクエスチョンについて、ヒット件数と一覧表示９６とがそれぞれ示され、いずれかの一覧表示９６をクリックすることにより、該当検索対象について具体的内容が表示されることになっている。
【図面の簡単な説明】
【０１０１】
【図１】実施形態に係る医療情報提供システムの全体構成を示す図。
【図２】医療情報提供サービス管理装置の構成例を示す図。
【図３】実施形態に係るＩＤパスワード入力画面を示す図。
【図４】専門医向けトップ画面を示す図。
【図５】ガイドラインモードの目次画面（専門医向け用）を示す図。
【図６】ガイドラインモードの目次画面（専門医向け用）において診療ガイドライン項目を展開した状態を示す図。
【図７】ガイドライン表示画面（専門医向け用）を示す図。
【図８】関連文献モードの目次画面（専門医向け用）を示す図。
【図９】関連文献モードの目次画面（専門医向け用）において診療ガイドライン項目を展開した状態を示す図。
【図１０】関連文献一覧画面（専門医向け用）を示す図。
【図１１】関連文献表示画面（専門医向け用）を示す図。
【図１２】トピックスモードの目次画面（専門医向け用）を示す図。
【図１３】トピックスモードの目次画面（専門医向け用）において診療ガイドライン項目を展開した状態を示す図。
【図１４】トピックスモードのタイトル一覧画面（専門医向け用）を示す図。
【図１５】トピックス表示画面（専門医向け用）を示す図。
【図１６】クリニカルクエスチョンモードの目次画面（専門医向け用）を示す図。
【図１７】クリニカルクエスチョンモードの目次画面（専門医向け用）において診療ガイドライン項目を展開した状態を示す図。
【図１８】クリニカルクエスチョン一覧画面（専門医向け用）を示す図。
【図１９】クリニカルクエスチョン応答画面（専門医向け用）を示す図。
【図２０】クリニカルクエスチョンモードにおけるガイドライン一覧表示画面（専門医向け用）を示す図。
【図２１】クリニカルクエスチョンモードにおける関連文献等一覧画面（専門医向け用）を示す図。
【図２２】クリニカルクエスチョンモードにおけるトピックスのタイトル一覧画面（専門医向け用）を示す図。
【図２３】クリニカルクエスチョンモードからガイドラインモードに入った場合のガイドライン表示画面（専門医向け用）を示す図。
【図２４】クリニカルクエスチョンモードから関連文献モードに入った場合の関連文献表示画面（専門医向け用）を示す図。
【図２５】クリニカルクエスチョンモードからトピックスモードに入った場合のトピックス表示画面（専門医向け用）を示す図。
【図２６】検索画面（専門医向け用）を示す図。
【図２７】検索画面（専門医向け用）を示す図。
【図２８】検索画面（専門医向け用）を示す図。
【図２９】検索モードにおけるガイドライン一覧画面（専門医向け用）を示す図。
【図３０】検索モードにおけるガイドライン一覧画面（専門医向け用）を示す図。
【図３１】検索モードにおける関連文献一覧画面（専門医向け用）を示す図。
【図３２】検索モードにおける関連文献一覧画面（専門医向け用）を示す図。
【図３３】検索モードにおけるトピックスのタイトル一覧画面（専門医向け用）を示す図。
【図３４】検索モードにおけるトピックスのタイトル一覧画面（専門医向け用）を示す図。
【図３５】検索モードにおけるクリニカルクエスチョン一覧画面（専門医向け用）を示す図。
【図３６】検索モードにおけるクリニカルクエスチョン一覧画面（専門医向け用）を示す図。
【図３７】検索結果画面を示す図。
【図３８】詳細検索入力画面を示す図。
【図３９】検索画面を示す図。
【図４０】シソーラス展開選択用ウインドウを示す図。
【図４１】検索履歴表示画面を示す図。
【図４２】一般医向け用トップ画面を示す図。
【図４３】一般医向け用目次画面を示す図。
【図４４】一般医向け用ガイドライン表示画面を示す図。
【図４５】一般国民用目次画面を示す図。
【図４６】一般国民用ガイドライン表示画面を示す図。
【図４７】一般国民用トピックスモードの目次画面を示す図。
【図４８】一般国民用クリニカルクエスチョンモードの目次画面を示す図。
【図４９】一般国民用クリニカルクエスチョンモードの質問一覧画面を示す図。
【図５０】一般国民用検索結果画面を示す図。
【図５１】ガイドラインモードから関連文献モードに移行させるための具体的構成を説明する説明図。
【符号の説明】
【０１０２】
１  医療情報提供システム用管理装置
２  ユーザ
３  ユーザ端末
４  インターネット
１１  ＩＤパスワード入力画面（トップ画面情報）
１２  ログインＩＤ入力欄（医療従事者向け表示）
１３  パスワード入力欄（医療従事者向け表示）
１４  ログインボタン（医療従事者向け表示）
１６  一般医向けスタートボタン
１７  一般国民向けスタートボタン
１９  専門医向け目次画面
２０  コンテンツタブ（提供モード表示情報）
２０ａ  ガイドラインタブ（診療ガイドライン情報提供モード表示情報）
２０ｂ  関連文献タブ（補強情報提供モード表示情報）
２０ｃ  トピックスタブ（補強情報提供モード表示情報）
２０ｄ  クリニカルクエスチョンタブ（補強情報提供モード表示情報）
２１  診療ガイドライン項目（診療ガイドライン項目表示）
２２  ガイドライン表示画面
２４  関連文献モードにおける目次画面
２６  関連文献一覧画面
２７  関連文献表示画面
３０  トピックスモードにおける目次画面
３２  トピックスモードにおけるタイトル一覧画面
３３  トピックス表示画面
３４  クリニカルクエスチョンモードにおける目次画面
３５  クリニカルクエスチョン一覧表示
３５ａ  クリニカルクエスチョン表示
３６  クリニカルクエスチョン一覧画面
３８  クリニカルクエスチョン応答画面（分類表示画面）
３９  一覧表示（診療ガイドライン情報要求表示、関連文献情報要求表示、トピックス情報要求表示）
４１  ガイドライン一覧表示画面
４３  関連文献等一覧画面
４５  トピックスのタイトル一覧画面
４６  検索表示
４７  検索画面
４８  ヒット件数一覧表示
４９  検索窓
５０  検索ボタン
５１  一覧表示（診療ガイドライン情報要求情報、関連文献情報要求情報、トピックス情報要求情報、クリニカルクエスチョン情報要求情報）
６０  検索結果画面
Ｓ  医療情報提供システム
【図１】
2005190055.tif 000003
【図２】
2005190055.tif 000004
【図５１】
2005190055.tif 000005
【図３】
2005190055.tif 000006
【図４】
2005190055.tif 000007
【図５】
2005190055.tif 000008
【図６】
2005190055.tif 000009
【図７】
2005190055.tif 000010
【図８】
2005190055.tif 000011
【図９】
2005190055.tif 000012
【図１０】
2005190055.tif 000013
【図１１】
2005190055.tif 000014
【図１２】
2005190055.tif 000015
【図１３】
2005190055.tif 000016
【図１４】
2005190055.tif 000017
【図１５】
2005190055.tif 000018
【図１６】
2005190055.tif 000019
【図１７】
2005190055.tif 000020
【図１８】
2005190055.tif 000021
【図１９】
2005190055.tif 000022
【図２０】
2005190055.tif 000023
【図２１】
2005190055.tif 000024
【図２２】
2005190055.tif 000025
【図２３】
2005190055.tif 000026
【図２４】
2005190055.tif 000027
【図２５】
2005190055.tif 000028
【図２６】
2005190055.tif 000029
【図２７】
2005190055.tif 000030
【図２８】
2005190055.tif 000031
【図２９】
2005190055.tif 000032
【図３０】
2005190055.tif 000033
【図３１】
2005190055.tif 000034
【図３２】
2005190055.tif 000035
【図３３】
2005190055.tif 000036
【図３４】
2005190055.tif 000037
【図３５】
2005190055.tif 000038
【図３６】
2005190055.tif 000039
【図３７】
2005190055.tif 000040
【図３８】
2005190055.tif 000041
【図３９】
2005190055.tif 000042
【図４０】
2005190055.tif 000043
【図４１】
2005190055.tif 000044
【図４２】
2005190055.tif 000045
【図４３】
2005190055.tif 000046
【図４４】
2005190055.tif 000047
【図４５】
2005190055.tif 000048
【図４６】
2005190055.tif 000049
【図４７】
2005190055.tif 000050
【図４８】
2005190055.tif 000051
【図４９】
2005190055.tif 000052
【図５０】
2005190055.tif 000053